(57)【要約】【課題】  ネットワーク上の複数の画像形成装置の識別情報の中から所望の画像形成装置の識別情報を容易に判別可能とする。【解決手段】  複合機１は、複合機１の特性情報を他の複合機２〜５の特性情報とを判別可能にコンピュータ７の表示部７７に表示させる特定表示指定を受け付ける操作受付部１４１と、コンピュータ７からネットワーク上の複合機１〜６を検索するための検索信号を受信した際に、特定表示指定を受け付けたことを示す特定表示指定情報及び複合機１の特性情報からなる応答信号を作成し、コンピュータ７に送信する応答信号作成部１４３とを備える。コンピュータ７は、各複合機１〜６の特性情報に対し、特定表示指定情報が付加されているか否かを判断する特定表示判断部７１３と、特定表示指定情報が付加された複合機の特性情報と、特定表示指定情報が付加されていない複合機の特性情報とを判別可能に表示部７７に表示する表示制御部７１４とを備える。【選択図】        図４
2006129254.tif 000002
【特許請求の範囲】
【請求項１】
複数の画像形成装置がネットワークを介して情報処理装置に接続されており、前記情報処理装置は、ネットワーク上に接続された複数の画像形成装置の識別情報を検出する検出手段と、前記検出手段によって検出された各画像形成装置の識別情報を表示する表示手段と、を備えた画像処理システムであって、
前記画像形成装置は、  当該画像形成装置の識別情報をネットワーク上の他の画像形成装置の識別情報と判別可能に、前記情報処理装置の表示手段に表示させるための特定表示指定を受け付ける操作受付手段と、前記操作受付手段によって特定表示指定を受け付けると、特定表示指定を受け付けたことを示す特定表示指定情報及び当該画像形成装置の識別情報をネットワークを介して前記情報処理装置に送信する送信手段とを備え、
前記情報処理装置は、
ネットワーク上に接続された各画像形成装置から特定表示指定情報と共に画像形成装置の識別情報を受信する受信手段と、前記検出手段によって検出された各画像形成装置の識別情報に対し、前記受信手段による特定表示指定情報の受信の有無を判断し、それによって各画像形成装置の識別情報の中から前記特定表示指定がされている画像形成装置の識別情報を判別する判別手段と、前記判別手段により前記特定表示指定がされていると判断された画像形成装置の識別情報を、前記特定表示指定がされていないと判断された画像形成装置の識別情報から判別可能に前記表示手段に表示する表示制御手段とを備えたことを特徴とする画像処理システム。
【請求項２】
前記情報処理装置の表示制御手段は、前記判別手段により前記特定表示指定がされていると判断された画像形成装置の識別情報と、前記特定表示指定がされていないと判断された画像形成装置の識別情報とをそれぞれ異なる表示形態で前記表示手段に表示することを特徴とする請求項１記載の画像処理システム。
【請求項３】
前記画像形成装置では、
前記操作受付手段は、前記特定表示指定を受け付けると共に当該画像形成装置の関連情報を受け付け、
前記送信手段は、前記操作受付手段によって特定表示指定及び当該画像形成装置の関連情報を受け付けると、前記特定表示指定を受け付けたことを示す特定表示指定情報、当該画像形成装置の識別情報及び関連情報をネットワークを介して前記情報処理装置に送信し、
前記情報処理装置では、
前記受信手段は、ネットワーク上に接続された各画像形成装置から前記特定表示指定情報、前記画像形成装置の識別情報及び関連情報を受信し、
前記情報処理装置の表示制御手段は、前記判別手段により特定表示指定がされていないと判断された画像形成装置の識別情報を前記表示手段に表示させ、前記判別手段により特定表示指定がされていると判断された画像形成装置の識別情報及び関連情報を前記表示手段に表示させることを特徴とする請求項１記載の画像処理システム。
【請求項４】
前記情報処理装置の表示制御手段は、前記判別手段により特定表示指定がされていると判断された画像形成装置の識別情報のみを前記表示手段に表示させることを特徴とする請求項１記載の画像処理システム。
【請求項５】
前記情報処理装置の表示制御手段は、前記判別手段により前記特定表示指定がされていると判断された画像形成装置の識別情報及び前記特定表示指定がされていないと判断された画像形成装置の識別情報をそれぞれ前記表示手段の異なる領域に表示させることを特徴とする請求項１記載の画像処理システム。
【請求項６】
複数の画像形成装置がネットワークを介して情報処理装置に接続されており、前記情報処理装置は、ネットワーク上に接続された複数の画像形成装置の識別情報を検出する検出手段と、前記検出手段によって検出された各画像形成装置の識別情報を表示する表示手段と、を備えた画像処理システムにおける画像形成装置であって、
当該画像形成装置の識別情報をネットワーク上の他の画像形成装置の識別情報と判別可能に、前記情報処理装置の表示手段に表示させるための特定表示指定を受け付ける操作受付手段と、前記操作受付手段によって特定表示指定を受け付けると、特定表示指定を受け付けたことを示す特定表示指定情報及び当該画像形成装置の識別情報をネットワークを介して前記情報処理装置に送信する送信手段とを備えたことを特徴とする画像形成装置。
【請求項７】
前記操作受付手段は、前記特定表示指定を受け付けると共に当該画像形成装置の関連情報を受け付け、
前記送信手段は、前記操作受付手段によって特定表示指定及び当該画像形成装置の関連情報を受け付けると、前記特定表示指定を受け付けたことを示す特定表示指定情報、当該画像形成装置の識別情報及び関連情報をネットワークを介して前記情報処理装置に送信することを特徴とする請求項６記載の画像形成装置。
【請求項８】
複数の画像形成装置がネットワークを介して情報処理装置に接続された画像処理システムであって、前記情報処理装置は、ネットワーク上に接続された複数の画像形成装置の識別情報を検出する検出手段と、前記検出手段によって検出された各画像形成装置の識別情報を表示する表示手段とを備え、前記画像形成装置は、当該画像形成装置の識別情報をネットワーク上の他の画像形成装置の識別情報と判別可能に、前記情報処理装置の表示手段に表示させるための特定表示指定を受け付ける操作受付手段と、前記操作受付手段によって特定表示指定を受け付けると、特定表示指定を受け付けたことを示す特定表示指定情報及び当該画像形成装置の識別情報をネットワークを介して前記情報処理装置に送信する送信手段とを備えた画像処理システムの情報処理装置に用いられる検索プログラムであって、
ネットワーク上に接続された各画像形成装置から特定表示指定情報と共に画像形成装置の識別情報を受信する受信手段と、前記検出手段によって検出された各画像形成装置の識別情報に対し、前記受信手段による特定表示指定情報の受信の有無を判断し、それによって各画像形成装置の識別情報の中から前記特定表示指定がされている画像形成装置の識別情報を判別する判別手段と、前記判別手段により前記特定表示指定がされていると判断された画像形成装置の識別情報を、前記特定表示指定がされていないと判断された画像形成装置の識別情報から判別可能に前記表示手段に表示する表示制御手段として前記情報処理装置を機能させることを特徴とする検索プログラム。
【発明の詳細な説明】
【技術分野】
【０００１】
本発明は、複数の画像形成装置がネットワークを介して情報処理装置に接続されており、
ネットワーク上に接続された複数の画像形成装置の識別情報が情報処理装置の表示手段に一覧表示される画像処理システム、当該画像処理システムの画像形成装置、及び当該画像処理システムの情報処理装置に用いられる画像処理プログラムに関する。
【背景技術】
【０００２】
従来、オフィス等では、複数のデジタル複合機やプリンタがＬＡＮ（Local Area Network）等のネットワークを介してパーソナルコンピュータ（Personal Computer）等に接続され、パーソナルコンピュータによって指定された複合機・プリンタによりプリント処理が行われている（例えば、特許文献１参照）。パーソナルコンピュータは、ＬＡＮ上に接続された複合機等の各機器の名称やＩＰアドレス等の識別情報を含む一覧画面をモニタに表示し、その中からユーザによって選択された複合機等に印刷指示を出力する。
【特許文献１】特開２００１−１９１６２３号公報
【発明の開示】
【発明が解決しようとする課題】
【０００３】
しかしながら、ネットワーク上に接続された複数の複合機等の中に同一機種の複合機が複数存在する場合や、ネットワーク上に接続された複合機等の数が多い場合等は、ユーザがモニタに表示される一覧画面から例えば設置場所が最も近い機器や、特定の機能を有する機器等を選択する際に、該当する機器の名称を判別するのが困難である。そのため、処理を希望する複合機等の名称を確認する作業が必要となり、作業効率の低下を招くという問題点があった。また、ユーザは再度同じ機器で印刷を行う時のために機器の名称を覚えておかなくてはならず、当該機器の名称を失念した場合は再度機器の名称を確認しなくてはならず、余分な手間がかかる。
【０００４】
本発明は、上記状況に鑑みてなされたものであり、情報処理装置の表示部に表示される複数の画像形成装置の識別情報の中から所望の画像形成装置を容易に判別することが可能となる画像処理システム、画像形成装置、及び検索プログラムを提供することを目的とする。
【課題を解決するための手段】
【０００５】
本発明の請求項１に係る画像処理システムは、複数の画像形成装置がネットワークを介して情報処理装置に接続されており、前記情報処理装置は、ネットワーク上に接続された複数の画像形成装置の識別情報を検出する検出手段と、前記検出手段によって検出された各画像形成装置の識別情報を表示する表示手段と、を備えた画像処理システムであって、前記画像形成装置は、当該画像形成装置の識別情報をネットワーク上の他の画像形成装置の識別情報と判別可能に、前記情報処理装置の表示手段に表示させるための特定表示指定を受け付ける操作受付手段と、前記操作受付手段によって特定表示指定を受け付けると、特定表示指定を受け付けたことを示す特定表示指定情報及び当該画像形成装置の識別情報をネットワークを介して前記情報処理装置に送信する送信手段とを備え、前記情報処理装置は、ネットワーク上に接続された各画像形成装置から特定表示指定情報と共に画像形成装置の識別情報を受信する受信手段と、前記検出手段によって検出された各画像形成装置の識別情報に対し、前記受信手段による特定表示指定情報の受信の有無を判断し、それによって各画像形成装置の識別情報の中から前記特定表示指定がされている画像形成装置の識別情報を判別する判別手段と、前記判別手段により前記特定表示指定がされていると判断された画像形成装置の識別情報を、前記特定表示指定がされていないと判断された画像形成装置の識別情報から判別可能に前記表示手段に表示する表示制御手段とを備えたことを特徴とする。
【０００６】
本発明の請求項８に係る検索プログラムは、複数の画像形成装置がネットワークを介して情報処理装置に接続され、前記情報処理装置は、ネットワーク上に接続された複数の画像形成装置の識別情報を検出する検出手段と、前記検出手段によって検出された各画像形成装置の識別情報を表示する表示手段とを備え、前記画像形成装置は、当該画像形成装置の識別情報をネットワーク上の他の画像形成装置の識別情報と判別可能に、前記情報処理装置の表示手段に表示させるための特定表示指定を受け付ける操作受付手段と、前記操作受付手段によって特定表示指定を受け付けると、特定表示指定を受け付けたことを示す特定表示指定情報及び当該画像形成装置の識別情報をネットワークを介して前記情報処理装置に送信する送信手段とを備えた画像処理システムにおける情報処理装置に用いられる検索プログラムであって、ネットワーク上に接続された各画像形成装置から特定表示指定情報と共に画像形成装置の識別情報を受信する受信手段と、前記検出手段によって検出された各画像形成装置の識別情報に対し、前記受信手段による特定表示指定情報の受信の有無を判断し、それによって各画像形成装置の識別情報の中から前記特定表示指定がされている画像形成装置の識別情報を判別する判別手段と、前記判別手段により前記特定表示指定がされていると判断された画像形成装置の識別情報を、前記特定表示指定がされていないと判断された画像形成装置の識別情報から判別可能に前記表示手段に表示する表示制御手段として前記情報処理装置を機能させることを特徴とする。
【０００７】
これらの発明によれば、画像形成装置の操作受付手段によって特定表示指定を受け付けると、送信手段によって特定表示指定を受け付けたことを示す特定表示指定情報及び当該画像形成装置の識別情報がネットワークを介して情報処理装置に送信され、情報処理装置の受信手段によってネットワーク上に接続された各画像形成装置から特定表示指定情報及び画像形成装置の識別情報が受信される。ここで、識別情報とは、画像形成装置に割り当てられたＩＰアドレスや画像形成装置の機種名等、当該画像形成装置を識別するための情報である。そして、判別手段によって、検出手段によって検出された各画像形成装置の識別情報に対し、受信手段による特定表示指定情報の受信の有無が判断され、各画像形成装置の識別情報の中から特定表示指定がされている画像形成装置の識別情報が判別される。その結果、表示制御手段によって、判別手段により特定表示指定がされていると判断された画像形成装置の識別情報を、特定表示指定がされていないと判断された画像形成装置の識別情報から判別可能に表示される。言い換えると、特定表示指定がされていると判断された画像形成装置の識別情報は複数の画像形成装置の識別情報から特定可能に表示手段に表示される。これにより、ユーザは予め処理を希望する画像形成装置の特定表示指定の設定作業を行うことによって、情報処理装置の表示部に表示される複数の画像形成装置の識別情報の中から所望の画像形成装置の識別情報を容易に判別することができ、画像形成装置の設定作業を効率的に行なうことができる。
【０００８】
本発明の請求項２に係る画像処理システムは、請求項１記載の画像処理システムにおいて、前記情報処理装置の表示制御手段は、前記判別手段により前記特定表示指定がされていると判断された画像形成装置の識別情報と、前記特定表示指定がされていないと判断された画像形成装置の識別情報とをそれぞれ異なる表示形態で前記表示手段に表示することを特徴とする。
【０００９】
上記構成によれば、情報処理装置の表示制御手段によって、判別手段により特定表示指定がされていると判断された画像形成装置の識別情報と、前記特定表示指定がされていないと判断された画像形成装置の識別情報がそれぞれ異なる表示形態で表示手段に表示される。これにより、ユーザは表示部に表示される複数の画像形成装置の識別情報の中からその形態によって所望の画像形成装置の識別情報を容易に判別することができ、画像形成装置の設定作業を効率的に行なうことができる。
【００１０】
本発明の請求項３に係る画像処理システムは、請求項１記載の画像処理システムにおいて、前記画像形成装置では、前記操作受付手段は、前記特定表示指定を受け付けると共に当該画像形成装置の関連情報を受け付け、前記送信手段は、前記操作受付手段によって特定表示指定及び当該画像形成装置の関連情報を受け付けると、前記特定表示指定を受け付けたことを示す特定表示指定情報、当該画像形成装置の識別情報及び関連情報をネットワークを介して前記情報処理装置に送信し、前記情報処理装置では、前記受信手段は、ネットワーク上に接続された各画像形成装置から前記特定表示指定情報、前記画像形成装置の識別情報及び関連情報を受信し、前記情報処理装置の表示制御手段は、前記判別手段により特定表示指定がされていないと判断された画像形成装置の識別情報を前記表示手段に表示させ、前記判別手段により特定表示指定がされていると判断された画像形成装置の識別情報及び関連情報を前記表示手段に表示させることを特徴とする。
【００１１】
上記構成によれば、画像形成装置の操作受付手段によって特定表示指定及び当該画像形成装置の関連情報を受け付けると、特定表示指定を受けたことを示す特定表示指定情報、当該画像形成装置の識別情報及び関連情報がネットワークを介して情報処理装置に送信され、情報処理装置の受信手段によってネットワーク上に接続された各画像形成装置から特定表示指定情報と共に画像形成装置の識別情報及び関連情報が受信される。そして、判別手段によって、検出手段によって検出された各画像形成装置の識別情報に対し、受信手段による特定表示指定情報の受信の有無が判断され、各画像形成装置の識別情報の中から特定表示指定がされている画像形成装置の識別情報が判別される。その結果、表示制御手段によって、判別手段により特定表示指定がされていないと判断された画像形成装置の識別情報が表示手段に表示され、判別手段により特定表示指定がされていると判断された画像形成装置の識別情報及び関連情報が表示手段に表示される。これにより、複数の画像形成装置が特定表示指定されている場合、ユーザは設置場所、機能等の関連情報に基づき所望の画像形成装置の識別情報をより容易に判別することができる。
【００１２】
本発明の請求項４に係る画像処理システムは、請求項１記載の画像処理システムにおいて、前記情報処理装置の表示制御手段は、前記判別手段により特定表示指定がされていると判断された画像形成装置の識別情報のみを前記表示手段に表示させることを特徴とする。
【００１３】
上記構成によれば、情報処理装置の表示制御手段によって、判別手段により特定表示指定がされていると判断された画像形成装置の識別情報のみが表示手段に表示されるため、ユーザは処理を希望しない画像形成装置と誤ることなく確実に所望の画像形成装置を選択することができる。
【００１４】
本発明の請求項５に係る画像処理システムは、請求項１記載の画像処理システムにおいて、前記情報処理装置の表示制御手段は、前記判別手段により前記特定表示指定がされていると判断された画像形成装置の識別情報及び前記特定表示指定がされていないと判断された画像形成装置の識別情報をそれぞれ前記表示手段の異なる領域に表示させることを特徴とする。
【００１５】
上記構成によれば、情報処理装置の表示制御手段によって、判別手段により前記特定表示指定がされていると判断された画像形成装置の識別情報及び特定表示指定がされていないと判断された画像形成装置の識別情報がそれぞれ表示手段の異なる領域に表示されるため、ユーザは所望の画像形成装置の識別情報をより容易に判別することができる。
【００１６】
本発明の請求項６に係る画像形成装置は、複数の画像形成装置がネットワークを介して情報処理装置に接続されており、前記情報処理装置は、ネットワーク上に接続された複数の画像形成装置の識別情報を検出する検出手段と、前記検出手段によって検出された各画像形成装置の識別情報を表示する表示手段と、を備えた画像処理システムにおける画像形成装置であって、当該画像形成装置の識別情報をネットワーク上の他の画像形成装置の識別情報と判別可能に、前記情報処理装置の表示手段に表示させるための特定表示指定を受け付ける操作受付手段と、前記操作受付手段によって特定表示指定を受け付けると、特定表示指定を受け付けたことを示す特定表示指定情報及び当該画像形成装置の識別情報をネットワークを介して前記情報処理装置に送信する送信手段とを備えたことを特徴とする。
【００１７】
上記構成によれば、画像形成装置の操作受付手段によって特定表示指定を受け付けると、送信手段によって特定表示指定を受け付けたことを示す特定表示指定情報及び当該画像形成装置の識別情報がネットワークを介して情報処理装置に送信される。
【００１８】
本発明の請求項７に係る画像形成装置は、請求項６記載の画像形成装置において、前記操作受付手段は、前記特定表示指定を受け付けると共に当該画像形成装置の関連情報を受け付け、前記送信手段は、前記操作受付手段によって特定表示指定及び当該画像形成装置の関連情報を受け付けると、前記特定表示指定を受け付けたことを示す特定表示指定情報、当該画像形成装置の識別情報及び関連情報をネットワークを介して前記情報処理装置に送信することを特徴とする。
【００１９】
上記構成によれば、画像形成装置の操作受付手段によって特定表示指定及び当該画像形成装置の関連情報を受け付けると、特定表示指定を受けたことを示す特定表示指定情報、当該画像形成装置の識別情報及び関連情報がネットワークを介して情報処理装置に送信される。
【発明の効果】
【００２０】
本発明によれば、情報処理装置の表示手段に表示される各画像形成装置の識別情報の中から所望の画像形成装置の識別情報を容易に判別することが可能となり、画像形成装置の設定作業の効率化を図ることができる。
【発明を実施するための最良の形態】
【００２１】
（第１の実施形態）
以下、本発明の一実施の形態によるネットワークシステムについて図面を用いて説明する。図１は、本発明のネットワークシステムの構成を示す図である。図２は図１に示すネットワークシステムにおける複合機及びコンピュータの基本的構成を示すブロック図である。ネットワークシステムにおいて、複数の複合機１〜６はＬＡＮ等のネットワークを介してパーソナルコンピュータ（Personal  Computer）７（以下、「コンピュータ」と略する）等に接続され、種々の情報を相互に送受信可能に構成されている。なお、ネットワークに接続されるコンピュータ及び複合機の数は、これに限定されず変更可能である。
【００２２】
コンピュータ７は、ＣＰＵ（Central Processing Unit）７１、プログラムデータ等が記録されているＲＯＭ（Read  Only  Memory）７２、ＣＰＵ７１の作業領域として用いられるＲＡＭ（Random Access Memory）７３、外部記憶装置７４、外部装置とのインターフェイスであるＩ／Ｆ部７５、ユーザからの指示を入力するためのキーボードやマウスを備える入力部７６、及び表示部７７を備える。
【００２３】
複合機１〜６は、それぞれ原稿読取部１１、画像処理部１２、記録部１３、ＣＰＵ１４、ＲＯＭ１５、ＲＡＭ１６、Ｉ／Ｆ（インターフェイス）部１７及び操作部１８を備える。原稿読取部１１は、原稿台、光源、レンズ、ＣＣＤ（Ｃharge Ｃoupled Ｄevice）等で構成されており、原稿からの反射光を電気信号に変換し、画像データを作成する。画像処理部１２は、原稿読取部１１によって読み取られた画像データに対して必要に応じてレベル補正、γ補正等の所定の補正処理を行ったり、画像データの圧縮又は伸張処理、及び拡大又は縮小処理等の種々の加工処理を行う。
【００２４】
記録部１３は、感光体ドラム、露光装置、現像装置、及び定着ローラ（図示省略）等を備える。露光装置は、原稿読取部１１において読み取られた原稿の画像データに基づいて生成された変調信号をレーザ光に変換して出力し、感光体ドラム上に静電潜像を形成する。現像装置は、黒色のトナーを感光体ドラムに供給してトナー画像を形成する。転写ローラは、搬送された記録紙に感光体ドラム上のトナー像を転写させ、定着ローラは、転写されたトナー像を加熱して記録紙に定着させる。操作部１８は、ＬＣＤ（Ｌiquid Ｃrystal Ｄisplay）等の表示装置及び操作キー等の入力装置で構成されており、スキャナ機能、ファクシミリ機能、プリンタ機能、コピー機能等に関する各種操作指示の入力に用いられる。Ｉ／Ｆ部１７は、ネットワークを介して他の複合機２〜５と、コンピュータ７の間で画像データの送受信を行う。
【００２５】
図３は図２に示す複合機１の操作部１８の外観構成図である。操作部１８は、タッチパネル等から構成されるタッチパネル部１８１、及びスタートキー及びテンキー等から構成される操作キー部１８２を含む。タッチパネル部１８１は、タッチパネルとＬＣＤ（Liquid Crystal Display）とを組み合わせたタッチパネルユニットから構成され、種々の操作画面を表示するとともに、ユーザが当該部分をタッチすることにより種々の操作指令を入力するための操作キー等を表示する。タッチパネル部１８１には、用紙サイズ、印刷倍率、印刷濃度等の処理条件を設定するための基本設定キー１８１１、及びコンピュータ７でネットワーク上の複合機１〜６を検索し、複合機１〜６の識別情報を表示部７７に表示する際に、複合機１の識別情報等を他の複合機２〜５と区別して表示させるための、特定表示指示を入力する特定表示設定キー１８１２が表示される。
【００２６】
図４は、図２に示す複合機１及びコンピュータ７における各制御部の詳細な構成を示すブロック図である。まず複合機１の構成について説明する。ＲＡＭ１６は、当該複合機１に関する特性情報を記憶する特性情報記憶部１６１を備える。特性情報には、例えば、複合機１に割り当てられたＩＰアドレス及び複合機１の機種名（モデル名）等の識別情報、複合機１の現在の動作状況が、例えば待機状態（レディ状態）、省電力状態（スリープ状態）等のいずれの状態であるか示すステータス情報、及びＳＮＭＰ（Ｓimple Ｎetwork  Ｍanagement  Ｐrotocol）等のネットワーク管理情報が含まれている。ＣＰＵ１４は、操作部１８を介して入力された各種指示を受け付ける操作受付部１４１と、操作受付部１４１によって特定表示設定キー１８１２の選択を受け付けると、当該機器を特定表示対象に選択したことを示す特定表示フラグを特性情報記憶部１６１に記憶されている特性情報に関連付けてセットし、操作受付部１４１を介して特定表示対象の選択を解除する指示を受け付けると、特定表示フラグを解除するフラグ設定部１４２と、コンピュータ７からネットワーク上に接続される複合機を検索する検索信号を受け付けた際に、特定表示フラグがセットされているか否かを判断し、特定表示フラグがセットされている場合は、検索信号に対し、特定情報記憶部１６１に記憶されている特性情報及び特定表示指示を受け付けたことを示す特定表示指定情報からなる応答信号を作成する応答信号作成部１４３とを備える。  次に、コンピュータ７の構成について説明する。ＲＡＭ７３は、各複合機１〜６から受信した各複合機の特性情報及び必要に応じて特定表示指定情報を記憶する特性情報記憶部７３１を備える。ＣＰＵ７１は、操作受付部７１１、検索部７１２、特定表示判断部７１３、及び表示制御部７１４を備える。操作受付部７１１は、操作部７６を介して入力された各種指示を受け付ける。検索部７１２は、操作部１８を介してネットワークに接続された複合機を検索するための検索指示を受け付けた際に、検索信号を各複合機１〜６に出力し、各複合機１〜６から特性情報を含む応答信号を受信した場合、受信した特性情報を特性情報記憶部７３１に書き込み、各複合機１〜６から特性情報及び特定表示指定情報を含む応答信号を受信した場合、特性情報及び特定表示指定情報を関連付けて特性情報記憶部７３１に書き込む。特定表示判断部７１３は、特性情報記憶部７３１に各複合機１〜６の特性情報に関連付けて特定表示指定情報が記憶されているか否かを判断することによって、各複合機１〜６が特定表示指定されているか否かを判断する。表示制御部７１４は、特定表示判断部７１３により特定表示指定がされていると判断された複合機の特性情報と特定表示指定がされていないと判断された複合機の特性情報とをそれぞれ異なる表示形態で表示部７７に表示する。ここでは、表示制御部７１は、特定表示指定がされた複合機の特性情報の文字の大きさを特定表示指定を受けていない複合機の特性情報より大きく表示する。
【００２７】
図５は、複合機１を特定表示対象として設定する際の特定表示設定処理を説明するためのフローチャートである。操作受付部１４１によって、特定表示設定キー１８１２の選択の有無が判断され（ステップＳ１）、特定表示設定キー１８１２が選択された場合（ステップＳ１でＹｅｓ）、特定表示設定画面Ｇ１がタッチパネル部１８１に表示される（ステップＳ３）。図６はタッチパネル部１８１に表示される特定表示設定画面Ｇ１の一例を示す図であり、特定表示設定画面Ｇ１には、「この複合機を特定表示対象に設定しますか？」というメッセージが表示されると共に、当該複合機１を特定表示対象に設定するための「ＯＫ」キー１０１、タッチパネル部１８１の表示画面を初期画面に切り替えるための「キャンセル」キー１０２及び複合機１の特定表示設定を解除するための「設定解除」キー１０３が表示される。操作受付部１４１により当該複合機１を特定表示対象に設定する特定表示指定が受け付けられたか否かが判断され（ステップＳ５）、特定表示指定が受け付けられた場合、フラグ設定部１４２によって特性情報記憶部１６１に記憶される特性情報に関連付けて特定表示フラグがセットされる（ステップＳ７）。なお、複合機１の特定表示設定が行なわれた後に、「設定解除」キー１０３が選択されると、フラグ設定部１４２によって特性情報記憶部１６１に記憶されている特定表示フラグが解除される。
【００２８】
図７は、コンピュータによりネットワーク上の複合機を検索する際に、コンピュータ及び複合機により行なわれる処理を説明するためのフローチャートである。操作部７６を介してネットワーク上の複合機１〜６を検索するための検索指示が入力されると、検索部７１２によってネットワーク上に接続されている各複合機１〜６に検索信号が送信される（ステップＳ３１）。
【００２９】
この際、例えば複合機１では、操作受付部１４１により検索信号が受信され（ステップＳ５１）、応答信号作成部１４３によって特性情報記憶部１６１に特定表示フラグがセットされているか否かが判断され（ステップＳ５３）、特定表示フラグがセットされている場合は（ステップＳ５３でＹｅｓ）、応答信号作成部１４３によって特性情報記憶部１６１から特性情報が読み出され、この特性情報に特定表示指定情報を付加した応答信号が作成され（ステップＳ５５）、当該応答信号がＩ／Ｆ部１７を介してコンピュータ７に送信される（ステップＳ５７）。一方、特定表示フラグがセットされていない場合は（ステップＳ５３でＮｏ）、応答信号作成部１４３によって特性情報を含む応答信号が作成され（ステップＳ５９）、当該応答信号がＩ／Ｆ部１７を介してコンピュータ７に送信される（ステップＳ５７）。
【００３０】
続いて、コンピュータ７側では、検索部７１２によって各複合機１〜６から応答信号が受信されると（ステップＳ３３）、応答信号に含まれる特性情報が特性情報記憶部７３１に記憶され、特性情報に特定表示指定情報が付加されている場合は、特性情報に関連付けて特定表示指定情報が特性情報記憶部７３１に記憶される（ステップＳ３５）。そして、ネットワークに接続されている全ての複合機１〜６から応答信号が受信されたか否かが判断され（ステップＳ３７）、全ての複合機１〜６から応答信号が受信された場合（ステップＳ３７でＹｅｓ）、表示制御部７１４によって特性情報記憶部７３１に記憶される特性情報に基づき検索結果画面が表示部７７に表示される（ステップＳ３９）。図８は、コンピュータ７の表示部７７に表示される検索結果画面の一例である。検索結果画面Ｇ１１には、各複合機１〜６から受信した特性情報に含まれるモデル名１５１、ＩＰアドレス１５４等の識別情報、ステータス情報１５３、ネットワーク管理情報１５２を一覧表示するリスト及び検出された各複合機１〜６を表示するためのアイコン１０７が表示される。この中で、特定表示指定がされた複合機の特性情報は、特定表示指定がされていない複合機の特性情報より大きな文字で表示される。
【００３１】
このように本実施形態では、コンピュータ７は、各複合機１〜６から受信した応答信号に特定表示指定情報が含まれているか否かを判断することによって、特定表示指定がされた複合機を判別し、特定表示指定がされた複合機の特性情報と他の複合機の特性情報とを異なる表示形態で表示部７７に表示するので、ユーザは所望の複合機１を容易に判別し、画像データの出力先に設定することができる。
【００３２】
なお、本実施形態では、特定表示指定がされた複合機の特性情報と、他の複合機の特性情報とを異なる文字の大きさで表示しているが、これに限定されるものではなく、文字の色、字体を変更してもよい。その他にも例えば、特定表示指定がされた複合機を表すアイコンを他のアイコンより大きく表示したり、特定表示指定がされた複合機の特性情報のみを一覧表示したり、特定表示指定がされた複合機の特性情報を別画面に表示する等の種々の変形例も可能である。
【００３３】
（第２の実施形態）
次に、本発明の第２の実施形態によるネットワークシステムについて図面を参照しながら説明する。なお、複合機１及びコンピュータ７の基本的構成は図２と同一であり、操作部１８の外観構成図は図３と同一であるため、図２及び図３を参照する。図９は複合機１及びコンピュータ７の制御部４１の詳細な構成を示すブロック図である。図において、図４と同一符号は同一または相当部分であり、その説明を省略する。ＲＡＭ１６は、文字情報を記憶する文字情報記憶部１６２を備える。操作受付部２４１は、操作部１８を介して特定表示指定を受け付ける際に、複合機１の設置場所、機能等の特性に関する文字情報を受け付け、文字情報記憶部１６２に記憶する。応答信号作成部２４３は、コンピュータ７から検索信号を受け付けた際に、特定表示フラグがセットされているか否かを判断し、特定表示フラグがセットされている場合は、検索信号に対し、特定情報記憶部１６１に記憶されている特性情報、文字情報記憶部１６２に記憶されている文字情報、及び特定表示指示を受け付けたことを示す特定表示指定情報からなる応答信号を作成する。
【００３４】
検索部８１２は、操作部１８を介してネットワーク上の複合機を検索するための検索指示を受け付けた際に、検索指示を複合機１〜６に出力し、複合機１〜６から特性情報を含む応答信号を受信した場合、受信した特性情報を特性情報記憶部７３１に書き込み、複合機１〜６から特性情報、特定表示指定情報及び文字情報を含む応答信号を受信した場合、特性情報及び特定表示指定情報を関連付けて特性情報記憶部７３１に書き込むと共に、受信した文字情報を文字情報記憶部７３１に書き込む。表示制御部８１４は、特定表示判断部７１３により特定表示指定がされていないと判断された複合機の特性情報、特定表示判断部７１３により特定表示指定がされていると判断された複合機の特性情報及び文字情報を表示部７７に表示する。
【００３５】
図１０は、図９に示す複合機１を特定表示対象として設定する際の特定表示設定処理を説明するためのフローチャートである。操作受付部２４１によって、特定表示設定キー１８１２の選択の有無が判断され（ステップＳ１）、特定表示設定キー１８１２が選択された場合（ステップＳ１でＹｅｓ）、特定表示設定画面Ｇ１がタッチパネル部１８１に表示される（ステップＳ３）。特定表示設定画面Ｇ１は図６と同一であるので、その説明は省略する。操作受付部２４１により当該複合機１を特定表示対象に設定する特定表示指定が受け付けられたか否かが判断され（ステップＳ５）、特定表示指定が受け付けられた場合、フラグ設定部１４２によって特性情報記憶部１６１に記憶される特性情報に関連付けて特定表示フラグがセットされる（ステップＳ７）。
【００３６】
次いで、タッチパネル部１８１の文字情報入力画面Ｇ２が表示される。図１１は、タッチパネル部１８１に表示される文字情報入力画面Ｇ２の一例である。文字情報入力画面Ｇ２には、「１０文字以内のコメントを入力して下さい。」というメッセージが表示される。また、文字情報入力画面Ｇ２には、文字情報を入力するための文字入力枠２０１、文字入力枠２０１に入力された文字情報を確定するための「ＯＫ」キー２０２、及び一連の処理をキャンセルして、タッチパネル部１８１の表示画面を基本画面に切り替えるための「キャンセル」キー２０３が表示される。操作受付部２４１によって、文字入力枠２０１に文字情報が入力され、「ＯＫ」キー２０２が押下されたか否かが判断され、文字情報の設定の有無が判断される（ステップＳ９）。文字情報が設定されると（ステップＳ９でＹｅｓ）、入力された文字情報が文字情報記憶部１６２に記憶される（ステップＳ１１）。
【００３７】
図１２は、コンピュータ７によりネットワーク上の複合機１〜６を検索する際に、コンピュータ７及び複合機１〜６により行なわれる処理を説明するためのフローチャートである。操作部７６を介してネットワーク上の複合機を検索するための検索指示が入力されると、検索部８１２によってネットワーク上に接続されている各複合機１〜６に検索信号が送信される（ステップＳ３１）。
【００３８】
この際、複合機１では、操作受付部２４１により検索信号が受信され（ステップＳ５１）、応答信号作成部２４３によって特性情報記憶部１６１に特定表示フラグがセットされているか否かが判断され（ステップＳ５３）、特定表示フラグがセットされている場合は（ステップＳ５３でＹｅｓ）、応答信号作成部２４３によって特性情報記憶部１６１に記憶されている特性情報及び文字情報記憶部１６２に記憶されている文字情報がそれぞれ読み出され、特性情報に特定表示指定情報及び文字情報を付加した応答信号が作成され（ステップＳ５５）、当該応答信号がＩ／Ｆ部１７を介してコンピュータ７に送信される（ステップＳ５７）。一方、特定表示フラグがセットされていない場合は（ステップＳ５３でＮｏ）、応答信号作成部２４３によって特性情報を含む応答信号が作成され（ステップＳ５９）、当該応答信号がＩ／Ｆ部１７を介してコンピュータ７に送信される（ステップＳ５７）。
【００３９】
続いて、コンピュータ７側では、検索部８１２によって各複合機１〜６から応答信号が受信されると（ステップＳ３３）、応答信号に含まれる特性情報が特性情報記憶部７３１に記憶され、特性情報に特定表示指定情報及び文字情報が付加されている場合は、特定表示指定情報及び文字情報がそれぞれ特性情報記憶部７３１及び文字情報記憶部７３２に記憶される（ステップＳ３５）。そして、ネットワークに接続されている全ての複合機１〜６から応答信号が受信されたか否かが判断され（ステップＳ３７）、全ての複合機１〜６から応答信号が受信された場合（ステップＳ３７でＹｅｓ）、表示制御部８１４によって特性情報記憶部７３１に記憶される特性情報及び文字情報記憶部に記憶される文字情報に基づき検索結果画面が表示される（ステップＳ３９）。図１３は、コンピュータ７の表示部７７に表示される検索結果画面の一例である。第１の実施形態との相違点は、検索結果画面Ｇ２１において、特定表示指定がされた複合機は、特性情報に加え、機器の設置場所等の文字情報１５６ａ，１５６ｂが表示される点である。
【００４０】
このように本実施形態によれば、コンピュータ７は、各複合機１〜６から受信した応答信号に特定表示指定情報が含まれているか否かを判断することによって、特定表示指定がされた複合機を判別し、特定表示指定がされた複合機の特性情報に加え、複合機１側で設定された文字情報を表示するので、ユーザは所望の機器を容易に判別し、画像データの出力先に設定することができる。
【００４１】
なお、本実施形態では、コンピュータ７は、各複合機１〜６の特性情報と共に特定表示指定された複合機側で設定された文字情報を表示部７７に表示しているが、文字情報以外に複合機１〜６のログインユーザ名、シリアル番号等の情報を特定表示指定された複合機から受信し、複合機の特性情報と共に表示してもよい。また、コンピュータ７は、複合機が特定表示指定がされていることを示すフラグ、アイコン等を当該複合機の特性情報と共に表示部７７に表示してもよい。
【００４２】
（その他の実施形態）
（Ａ）本実施形態では、特定表示指定がされた複合機は、コンピュータ７から検索信号を受信した際に、特性情報及び特定表示指定情報をコンピュータ７に出力しているが、これに限らず、特定表示指定がされた複合機は、検索信号の受付時以外にも定期的に識別情報及び特定表示指定情報をコンピュータ７に出力する構成であってもよい。
【００４３】
（Ｂ）本実施形態では、複合機側で特定表示指定の設定解除を行なわない限り、特性情報及び特定表示指定情報をコンピュータ７に出力する構成となっているが、本発明に操作受付部２４１による特定表示指定を受け付けた時点から所定時間の経過を判断する経過時間判断手段と、操作受付部２４１による特定表示指定の受付時から所定時間が経過すると、特性情報記憶部１６１にセットされている特定表示フラグを解除する解除手段とを設け、特定表示指定の受付時から所定時間経過後に特定表示フラグの解除を行なうようにしてもよい。これにより、印刷処理設定前に特定表示設定がされた複合機の識別情報のみがコンピュータ７の表示部７７において特定表示されることとなり、ユーザは他の複合機と誤ることなく所望の複合機を判別することができる。
【図面の簡単な説明】
【００４４】
【図１】本発明のネットワークシステムの構成を示す図である。
【図２】図１に示すネットワークシステムにおける複合機及びコンピュータの基本的構成を示すブロック図である。
【図３】図２に示す複合機の操作部の外観構成図である。
【図４】本発明の第１の実施形態による複合機及びコンピュータにおける各制御部の詳細な構成を示すブロック図である。
【図５】複合機を特定表示対象として設定する際の特定表示設定処理を説明するためのフローチャートである。
【図６】複合機のタッチパネル部に表示される特定表示設定画面の一例を示す図である。
【図７】コンピュータによりネットワーク上の複合機を検索する際に、コンピュータ及び複合機により行なわれる処理を説明するためのフローチャートである。
【図８】コンピュータの表示部に表示される検索結果画面の一例である。
【図９】本発明の第２の実施形態による複合機及びコンピュータの制御部の詳細な構成を示すブロック図である。
【図１０】複合機を特定表示対象として設定する際の特定表示設定処理を説明するためのフローチャートである。
【図１１】複合機のタッチパネル部に表示される文字情報入力画面の一例である。
【図１２】コンピュータによりネットワーク上の複合機を検索する際に、コンピュータ及び複合機により行なわれる処理を説明するためのフローチャートである。
【図１３】コンピュータの表示部に表示される検索結果画面の一例である。
【符号の説明】
【００４５】
１〜６  複合機
１１  原稿読取部
１２  画像処理部
１３  記録部
１４  ＣＰＵ
１４１，２４１  操作受付部
１４２  フラグ設定部
１４３，２４３  応答信号作成部
１５  ＲＯＭ
１６  ＲＡＭ
１６１  特性情報記憶部
１６２  文字情報記憶部
１７  Ｉ／Ｆ部
１８  操作部
１８１  タッチパネル部
１８２  操作キー部
７  コンピュータ
７１  ＣＰＵ
７１１  操作受付部
７１２，８１２  検索部
７１３  特定表示判断部
７１４，８１４  表示制御部
７２  ＲＯＭ
７３  ＲＡＭ
７３１  特性情報記憶部
７３２  文字情報記憶部
７４  外部記憶装置
７５  Ｉ／Ｆ部
７６  操作部
７７  表示部
【図１】
2006129254.tif 000003
【図２】
2006129254.tif 000004
【図３】
2006129254.tif 000005
【図４】
2006129254.tif 000006
【図５】
2006129254.tif 000007
【図６】
2006129254.tif 000008
【図７】
2006129254.tif 000009
【図８】
2006129254.tif 000010
【図９】
2006129254.tif 000011
【図１０】
2006129254.tif 000012
【図１１】
2006129254.tif 000013
【図１２】
2006129254.tif 000014
【図１３】
2006129254.tif 000015